(57)【要約】【課題】個人が消費した消費電力量を求めること。【解決手段】本願の開示するホームサーバは、一つの態様において、取得部と、測定部と、配分部とを備える。取得部は、複数のユーザについて、各ユーザが部屋に入退室したことを示す入退室情報を取得する。測定部は、部屋に設置された電気製品の消費電力量を測定する。配分部は、取得部により取得された入退室情報に基づいて、測定部により測定された消費電力量をユーザごとに配分する。【選択図】図１
2013101046.tif 000002
【特許請求の範囲】
【請求項１】
複数のユーザについて、各ユーザが部屋に入退室したことを示す入退室情報を取得する取得部と、
前記部屋に設置された電気製品の消費電力量を測定する測定部と、
前記取得部により取得された入退室情報に基づいて、前記測定部により測定された消費電力量を前記ユーザごとに配分する配分部と
を備えることを特徴とするホームサーバ。
【請求項２】
前記配分部は、前記測定部により所定の時間に測定された前記部屋の電気製品の消費電力量を、当該部屋に滞在していたユーザに配分することを特徴とする請求項１に記載のホームサーバ。
【請求項３】
前記配分部は、前記測定部により測定された所定の電気製品の消費電力量を、測定後の所定の時間において所定の部屋に滞在していたユーザに配分することを特徴とする請求項１又は２に記載のホームサーバ。
【請求項４】
ホームサーバが、
複数のユーザについて、各ユーザが部屋に入退室したことを示す入退室情報を取得し、
前記部屋に設置された電気製品の消費電力量を測定し、
前記取得する処理により取得された入退室情報に基づいて、前記測定する処理により測定された消費電力量を前記ユーザごとに配分する
ことを特徴とする配分方法。
【請求項５】
ホームサーバによって実行される配分プログラムであって、
複数のユーザについて、各ユーザが部屋に入退室したことを示す入退室情報を取得し、
前記部屋に設置された電気製品の消費電力量を測定し、
前記取得する処理により取得された入退室情報に基づいて、前記測定する処理により測定された消費電力量を前記ユーザごとに配分する
各処理を実行させることを特徴とする配分プログラム。
【発明の詳細な説明】
【技術分野】
【０００１】
本発明は、ホームサーバ、配分方法及び配分プログラムに関する。
【背景技術】
【０００２】
近年、例えば、ＩＴ（Information  Technology）やセンサ技術を活用して住宅のエネルギー管理を行うＨＥＭＳ（Home  Energy  Management  System）と呼ばれる技術が存在する。この技術は、例えば、エアコンや冷蔵庫など電気製品の最適運転、エネルギー使用状況のリアルタイム表示、及び省エネルギー活動などを支援する。例えば、家庭内にある電気製品ごとに消費電力量を測定し、表示する技術が存在する。
【先行技術文献】
【特許文献】
【０００３】
【特許文献１】特開２００９−４７６９４号公報
【特許文献２】特開２０１０−１７５３８８号公報
【発明の概要】
【発明が解決しようとする課題】
【０００４】
しかしながら、上記従来技術には、個人が消費した消費電力量を求めることができなかった。例えば、家庭内にある電気製品ごとの消費電力量を求めることはできても、家庭内で個人が消費した消費電力量を求めることができなかった。
【０００５】
開示の技術は、上記に鑑みてなされたものであって、個人が消費した消費電力量を求めることができるホームサーバ、配分方法及び配分プログラムを提供することを目的とする。
【課題を解決するための手段】
【０００６】
本願の開示する技術は、一つの態様において、取得部と、測定部と、配分部とを備える。取得部は、複数のユーザについて、各ユーザが部屋に入退室したことを示す入退室情報を取得する。測定部は、部屋に設置された電気製品の消費電力量を測定する。配分部は、取得部により取得された入退室情報に基づいて、測定部により測定された消費電力量をユーザごとに配分する。
【発明の効果】
【０００７】
本願の開示する技術の一つの態様によれば、個人が消費した消費電力量を求めることができるという効果を奏する。
【図面の簡単な説明】
【０００８】
【図１】図１は、実施例１に係るホームサーバの機能構成を示すブロック図である。
【図２】図２は、滞在状況テーブルに記憶される情報の一例を示す図である。
【図３】図３は、使用状況テーブルに記憶される情報の一例を示す図である。
【図４】図４は、配分テーブルに記憶される情報の一例を示す図である。
【図５】図５は、設置テーブルに記憶される情報の一例を示す図である。
【図６】図６は、消費テーブルに記憶される情報の一例を示す図である。
【図７】図７は、実施例１に係るホームサーバの処理手順を示すフローチャートである。
【図８】図８は、ホームサーバが個人の消費電力量を求める処理について説明するための図である。
【図９】図９は、ホームサーバが個人の消費電力量を求める処理について説明するための図である。
【図１０】図１０は、ホームサーバが個人の消費電力量を求める処理について説明するための図である。
【図１１】図１１は、配分プログラムを実行するコンピュータを示す図である。
【発明を実施するための形態】
【０００９】
以下に、本願の開示するホームサーバ、配分方法及び配分プログラムの実施例を図面に基づいて詳細に説明する。なお、この実施例によりこの発明が限定されるものではない。各実施例は、処理内容を矛盾させない範囲で適宜組み合わせることが可能である。
【実施例１】
【００１０】
実施例１に係るホームサーバの機能構成の一例について説明する。図１は、実施例１に係るホームサーバの機能構成を示すブロック図である。図１に示すように、ホームサーバ１００は、ブレーカ２０と、エアコン３０ａと、照明３０ｂと、センサ４０ａと、センサ４０ｂと、操作端末５０とに、家庭内ＬＡＮ（Local  Area  Network）１０を介して接続される。例えば、ホームサーバ１００は、家庭内に設置されたサーバ装置であり、家庭内の各部屋で測定された電気製品の消費電力量を、その部屋に滞在していた者に配分することで、個人が消費した消費電力量を求めることができる。なお、家庭内ＬＡＮ１０としては、例えば、有線ＬＡＮや無線ＬＡＮなどの任意の種類の通信網が採用され、インターネットやＷＡＮ（Wide  Area  Network）などの他のネットワークに接続されても良い。また、例えば、センサ４０ａ及びセンサ４０ｂとしては、ＲＦＩＤ（Radio  Frequency  Identification）センサが採用され、家庭内の各部屋にそれぞれ設置されることにより、ＲＦＩＤタグを有するユーザの各部屋への入退室を検知する。また、例えば、ブレーカ２０は、電気製品３０に電源を供給する。また、例えば、ユーザは、ホームサーバ１００が設置された家庭に居住する者を含む。
【００１１】
ここで、図１には、ホームサーバ１００にエアコン３０ａ及び照明３０ｂが接続される場合を示したが、図示の構成に限定されない。つまり、ホームサーバ１００には任意の電気製品が接続されて良い。例えば、ホームサーバ１００にはテレビ、ＨＤＤ（Hard  Disk  Drive）レコーダ、冷蔵庫、電子レンジ、ＩＨ（Induction  Heating）ヒータなどの電気製品が接続される。また、以下では、エアコン３０ａ、照明３０ｂ及び他の電気製品を区別無く総称する場合には、電気製品３０と記載する。電気製品３０は、例えば、家庭内で電力を消費するあらゆる製品を含む。
【００１２】
また、図１には、ホームサーバ１００にセンサ４０ａ及びセンサ４０ｂが接続される場合を示したが、図示の構成に限定されない。つまり、ホームサーバ１００には任意数のセンサが接続されて良い。例えば、ホームサーバ１００には、家庭内の部屋の数と同じ数のセンサが接続される。また、以下では、センサ４０ａ及びセンサ４０ｂを区別無く総称する場合には、センサ４０と記載する。
【００１３】
センサ４０は、例えば、家庭内の各部屋へのユーザの入退室を検知する。例えば、センサ４０としては、ＲＦＩＤセンサが採用され、家庭内の各部屋の出入り口に一つずつ設置される。この場合、ユーザは、例えば、ＲＦＩＤタグを内蔵したリストバンドを身につけている。例えば、センサ４０は、検知信号を発信し、その応答の有無によりリストバンドを身につけたユーザの入退室を検知する。センサ４０は、検知した結果をホームサーバ１００に送る。なお、ここでは、センサ４０としてＲＦＩＤセンサを用いる場合を説明したが、本発明はこれに限定されるものではない。例えば、カメラをセンサ４０として用いることもできる。この場合、例えば、センサ４０には、ユーザの顔画像を予め登録しておく。そして、センサ４０は、各部屋の出入り口付近を撮影し、撮影した画像と登録された顔画像とをパターンマッチングにより照合することで、ユーザの入退室を検知する。
【００１４】
操作端末５０は、例えば、ホームサーバ１００を操作するためにユーザにより操作される端末である。例えば、操作端末５０は、パーソナルコンピュータや携帯電話、ＰＤＡ（Personal  Digital  Assistant）などの装置に対応する。例えば、操作端末５０は、ユーザから各種情報の入力を受け付けて、受け付けた情報をホームサーバ１００に送る。また、例えば、操作端末５０は、ホームサーバ１００から各種情報を受け付けて、受け付けた情報を出力する。例えば、操作端末５０は、後述する消費テーブル１２５の情報を表示する。
【００１５】
ホームサーバ１００は、例えば、通信制御部１１０と、記憶部１２０と、制御部１３０とを有する。通信制御部１１０は、ブレーカ２０、電気製品３０、センサ４０及び操作端末５０の間で送受信される各種情報に関する通信を制御する。通信制御部１１０は、例えば、ネットワークインタフェースカード（ＮＩＣ：Network  Interface  Card）である。
【００１６】
記憶部１２０は、例えば、滞在状況テーブル１２１と、使用状況テーブル１２２と、配分テーブル１２３と、設置テーブル１２４と、消費テーブル１２５とを有する。記憶部１２０は、例えば、ＲＡＭ（Random  Access  Memory）、ＲＯＭ（Read  Only  Memory）、フラッシュメモリ（Flash  Memory）などの半導体メモリ素子、ハードディスクや光ディスクなどの記憶装置に対応する。
【００１７】
滞在状況テーブル１２１は、例えば、ユーザの滞在状況を記憶する。図２は、滞在状況テーブルに記憶される情報の一例を示す図である。図２に示すように、例えば、滞在状況テーブル１２１は、「部屋」と、「ユーザ」と、「滞在状況」とを対応づけて記憶する。このうち、部屋は、家庭内の部屋を示し、例えば、リビング兼ダイニングやキッチンなどを含む。また、ユーザは、家庭に居住する者を示し、例えば、父、母、娘、息子などを含む。また、滞在状況は、各ユーザが滞在していた時間を示す。図２に示した例では、滞在状況は、１７時から２４時までの間について、１５分単位で、各ユーザが滞在していたか否かを示す。図２の網掛け領域は、該当のユーザがその時間に滞在していたことを示し、白抜き領域は、該当のユーザがその時間に不在であったことを示す。なお、説明の便宜上、ここでは、滞在状況テーブル１２１がユーザの滞在状況を１５分単位で記憶する場合を説明するが、本発明はこれに限定されるものではない。例えば、滞在状況テーブル１２１は、ユーザの滞在状況を１分単位で記憶しても良く、１秒単位で記憶しても良い。また、ここでは、滞在状況テーブル１２１が時間軸に沿って滞在状況を記憶する場合を説明したが、本発明はこれに限定されるものではない。例えば、滞在状況テーブル１２１は、入室時間と退室時間とをテキストデータで記憶しても良い。
【００１８】
図２に示すように、例えば、滞在状況テーブル１２１は、部屋「リビング兼ダイニング」と、ユーザ「父」と、滞在状況「１９時から２２時までの間と２２時３０分から２４時までの間に滞在していたことを示す情報」とを対応づけて記憶する。つまり、例えば、滞在状況テーブル１２１は、１９時から２２時までの間と２２時３０分から２４時までの間に、父がリビング兼ダイニングに滞在していたことを記憶する。また、滞在状況テーブル１２１は、他の部屋についても同様に、各ユーザが滞在していた時間を記憶する。
【００１９】
使用状況テーブル１２２は、例えば、電気製品の使用状況を記憶する。図３は、使用状況テーブルに記憶される情報の一例を示す図である。図３に示すように、例えば、使用状況テーブル１２２は、「電気製品」と、「使用状況」とを対応づけて記憶する。このうち、電気製品は、家庭内に設置された電気製品３０を示し、例えば、エアコン、照明、テレビ、ＨＤＤレコーダ、冷蔵庫、電子レンジなどを含む。また、使用状況は、各電気製品が使用されていた時間を示す。図３に示した例では、使用状況は、１７時から２４時までの間について、１５分単位で、各電気製品が使用されていたか否かを示す。図３の網掛け領域は、該当の電気製品がその時間に使用されていたことを示し、白抜き領域は、該当の電気製品がその時間に使用されていなかったことを示す。なお、使用状況テーブル１２２は、各電気製品が使用された時間に対応づけて、その電気製品によって消費された消費電力量も記憶する。また、説明の便宜上、ここでは、使用状況テーブル１２２が電気製品３０の使用状況を１５分単位で記憶する場合を説明するが、本発明はこれに限定されるものではない。例えば、使用状況テーブル１２２は、電気製品の使用状況を１分単位で記憶しても良く、１秒単位で記憶しても良い。
【００２０】
図３に示すように、例えば、使用状況テーブル１２２は、電気製品「エアコン」と、使用状況「１７時から２４時までの間に使用されていたことを示す情報」とを対応づけて記憶する。つまり、使用状況テーブル１２２は、１７時から２４時までの間に、エアコンが使用されていたことを記憶する。また、使用状況テーブル１２２は、他の電気製品３０についても同様に、使用されていた時間を記憶する。
【００２１】
配分テーブル１２３は、例えば、電気製品の配分タイプを記憶する。図４は、配分テーブルに記憶される情報の一例を示す図である。図４に示すように、例えば、配分テーブル１２３は、「電気製品」と、「配分タイプ」とを対応づけて記憶する。このうち、配分タイプは、該当する電気製品３０により消費された消費電力量を配分する方法を示す情報である。例えば、配分タイプは、「滞在」と、「目的」とを含む。配分タイプ「滞在」は、例えば、電気製品３０により消費された消費電力量を、その電気製品３０が使用された時間に、その電気製品３０が設置された部屋に滞在していたユーザに配分することを示す。また、配分タイプ「目的」は、例えば、電気製品３０により消費された消費電力量を、その電気製品３０が使用された後に、所定の部屋に滞在していたユーザに配分することを示す。例えば、電子レンジには、電子レンジが使用された直後にリビング兼ダイニングに滞在していたユーザに対して消費電力量を配分することが記憶される。なお、以下では、配分タイプ「目的」が設定された電気製品３０には、一律に同じ配分方法が適用される場合を説明するが、本発明はこれに限定されるものではない。例えば、電子レンジについては、その使用の直後にリビング兼ダイニングに滞在していたユーザに対して消費電力量を配分し、食器洗浄機については、その使用の３０分前にリビング兼ダイニングに滞在していたユーザに対して消費電力量を配分してもよい。すなわち、配分テーブル１２３は、電気製品３０ごとに、その消費電力量を配分する方法を記憶する。
【００２２】
図４に示すように、例えば、配分テーブル１２３は、電気製品「エアコン」と、配分タイプ「滞在」とを対応づけて記憶する。つまり、配分テーブル１２３は、エアコンにより消費された消費電力量を、そのエアコンが使用された時間に、そのエアコンが設置された部屋に滞在していたユーザに配分することを記憶する。また、例えば、配分テーブル１２３は、電気製品「電子レンジ」と、配分タイプ「目的」とを対応づけて記憶する。つまり、配分テーブル１２３は、電子レンジにより消費された消費電力量を、その電子レンジが使用された後に、リビング兼ダイニングに滞在していたユーザに配分することを記憶する。また、配分テーブル１２３は、他の電気製品についても同様に、配分タイプを記憶する。なお、配分テーブル１２３には、例えば、１つの電気製品３０が家庭内に設置される度に、１つのレコードがユーザにより登録される。
【００２３】
設置テーブル１２４は、例えば、電気製品が設置された部屋を記憶する。図５は、設置テーブルに記憶される情報の一例を示す図である。図５に示すように、例えば、設置テーブル１２４は、「電気製品」と、「設置部屋」とを対応づけて記憶する。このうち、設置部屋は、該当する電気製品３０が設置された部屋を示す情報である。例えば、「リビング兼ダイニング」は、該当する電気製品３０がリビング兼ダイニングに設置されたことを示す。また、例えば、「キッチン」は、該当する電気製品３０がキッチンに設置されたことを示す。
【００２４】
図５に示すように、例えば、設置テーブル１２４は、電気製品「エアコン」と、設置部屋「リビング兼ダイニング」とを対応づけて記憶する。つまり、設置テーブル１２４は、エアコンがリビング兼ダイニングに設置されたことを記憶する。また、設置テーブル１２４は、他の電気製品についても同様に、設置部屋を記憶する。なお、設置テーブル１２４には、例えば、１つの電気製品３０が家庭内に設置される度に、１つのレコードがユーザにより登録される。
【００２５】
消費テーブル１２５は、例えば、個人の消費電力量を記憶する。図６は、消費テーブルに記憶される情報の一例を示す図である。図６に示すように、例えば、消費テーブル１２５は、「ユーザ」と、「今月の消費電力量」とを対応づけて記憶する。このうち、今月の消費電力量は、該当するユーザによって、月の第一日目から現在までの間に消費された消費電力量を示す情報である。
【００２６】
図６に示すように、例えば、消費テーブル１２５は、ユーザ「父」と、今月の消費電力量「ＡＡ［ｋＷ］」とを対応づけて記憶する。つまり、消費テーブル１２５は、父によって家庭内で消費された今月の消費電力量がＡＡ［ｋＷ］であることを記憶する。また、消費テーブル１２５は、他のユーザについても同様に、今月の消費電力量を記憶する。なお、ここでは、消費テーブル１２５が今月の消費電力量を記憶する場合を説明したが、本発明はこれに限定されるものではない。例えば、消費テーブル１２５は、今月の消費電力量と先月の消費電力量を記憶しても良く、又は、現在までに消費された個人の消費電力量を記憶しても良い。つまり、消費テーブル１２５に記憶される個人の消費電力量は、ホームサーバ１００を操作する者が任意の期間を指定して記憶することができ、また、任意に指定された期間の消費電力量を出力することができる。
【００２７】
制御部１３０は、取得部１３１と、測定部１３２と、配分部１３３とを有する。制御部１３０の機能は、例えば、ＡＳＩＣ（Application  Specific  Integrated  Circuit）やＦＰＧＡ（Field  Programmable  Gate  Array）などの集積回路により実現することができる。また、制御部１３０の機能は、例えば、ＣＰＵ（Central  Processing  Unit）が所定のプログラムを実行することで実現することができる。
【００２８】
取得部１３１は、複数のユーザについて、各ユーザが部屋に入退室したことを示す入退室情報を取得する。例えば、取得部１３１は、センサ４０により検知されたユーザの入退室の情報を受け付ける。取得部１３１は、受け付けた入退室の情報を滞在状況テーブル１２１に記録する。
【００２９】
図２を用いて、取得部１３１の処理を説明する。例えば、取得部１３１は、リビング兼ダイニングに設置されたセンサ４０から、１９時に父が入室した旨の情報を受け付けると、１９時まで父が不在であった旨の情報を滞在状況テーブル１２１に記録する。つまり、取得部１３１は、図２に示したように、部屋「リビング兼ダイニング」と、ユーザ「父」と、滞在状況「１７時から１９時までの間に不在であったことを示す情報」とを対応づけて記録する。また、例えば、滞在状況テーブル１２１は、リビング兼ダイニングに設置されたセンサ４０から、２２時に父が退室した旨の情報を受け付けると、１９時から２２時まで父が滞在していた旨の情報を滞在状況テーブル１２１に記録する。つまり、取得部１３１は、図２に示したように、部屋「リビング兼ダイニング」と、ユーザ「父」と、滞在状況「１９時から２２時までの間に滞在していたことを示す情報」とを対応づけて記録する。
【００３０】
測定部１３２は、部屋に設置された電気製品の消費電力量を測定する。例えば、測定部１３２は、家庭内ＬＡＮ１０を介して接続された電気製品３０の消費電力量を、電気製品３０ごとに測定する。測定部１３２は、測定した電気製品３０の消費電力量が所定値を超えた場合に、その電気製品３０が使用されたことを示す情報を使用状況テーブル１２２に記録する。なお、測定部１３２は、各電気製品３０が使用されたか否かに関わらず、測定した電気製品３０の消費電力量を使用状況テーブル１２２に記録してもよい。
【００３１】
図３を用いて、測定部１３２の処理を説明する。例えば、測定部１３２は、家庭内ＬＡＮ１０を介して接続されたエアコンの消費電力量を、１７時から所定時間ごとに測定する。測定部１３２は、１７時から１７時１５分までの間に、エアコンの消費電力量が所定値を超えていると、エアコンが使用されたことを示す情報を使用状況テーブル１２２に記録する。つまり、測定部１３２は、図３に示したように、電気製品「エアコン」と、使用状況「１９時から１９時１５分までの間に使用されていたことを示す情報」とを対応づけて記憶する。このように、測定部１３２は、各電気製品３０の消費電力量を所定時間ごとに測定し、所定値以上の消費電力量を測定した場合に、その電気製品３０が使用されていたことを示す情報を記録する。なお、説明の便宜上、ここでは、測定部１３２が電気製品３０の使用状況を１５分単位で測定する場合を説明したが、本発明はこれに限定されるものではない。例えば、測定部１３２は、電気製品の使用状況を１分単位で測定しても良く、１秒単位で測定しても良い。
【００３２】
配分部１３３は、取得部１３１により取得された入退室情報に基づいて、測定部１３２により測定された消費電力量をユーザごとに配分する。配分部１３３は、配分した消費電力量をユーザごとに消費テーブル１２５に記録する。
【００３３】
以下において、配分部１３３の処理について説明する。例えば、配分部１３３は、使用状況テーブル１２２に消費電力量が記録されると、消費電力量が記録された電気製品３０の配分タイプを判定する。例えば、配分部１３３は、配分テーブル１２３を参照し、電気製品３０の配分タイプが滞在であるか目的であるかを判定する。例えば、使用状況テーブル１２２にエアコンの消費電力量が記録された場合には、配分部１３３は、配分テーブル１２３を参照し、エアコンの配分タイプが滞在であると判定する。また、例えば、使用状況テーブル１２２に冷蔵庫の消費電力量が記録された場合には、配分部１３３は、配分テーブル１２３を参照し、冷蔵庫の配分タイプが目的であると判定する。
【００３４】
電気製品３０の配分タイプが滞在である場合には、配分部１３３は、設置テーブル１２４を参照し、電気製品３０の設置部屋を特定する。配分部１３３は、滞在状況テーブル１２１を参照し、消費電力量が記録された時間に、電気製品３０の設置部屋に滞在していたユーザを特定する。配分部１３３は、電気製品３０の設置部屋に滞在していたユーザに、記録された消費電力量を配分する。配分部１３３は、配分した消費電力量をユーザごとに消費テーブル１２５に記録する。
【００３５】
一方、電気製品３０の配分タイプが目的である場合には、配分部１３３は、滞在状況テーブル１２１を参照し、電気製品３０の使用後に所定の部屋に滞在していたユーザを特定する。配分部１３３は、電気製品３０の設置部屋に滞在していたユーザに、記録された消費電力量を配分する。配分部１３３は、配分した消費電力量をユーザごとに消費テーブル１２５に記録する。
【００３６】
このように、配分部１３３は、使用状況テーブル１２２に消費電力量が記録されるごとに、消費電力量が記録された電気製品３０の配分タイプを判定し、判定結果に応じて消費電力量をユーザに配分する。
【００３７】
次に、実施例１に係るホームサーバ１００の処理手順について説明する。図７は、実施例１に係るホームサーバの処理手順を示すフローチャートである。図７に示す処理は、例えば、図示した各装置に電源から電力が供給される間、所定時間間隔で実行される。
【００３８】
図７に示すように、使用状況テーブル１２２に消費電力量が記録されると（ステップＳ１０１，Ｙｅｓ）、配分部１３３は、消費電力量が記録された電気製品３０について、配分タイプが滞在であるか否かを判定する（ステップＳ１０２）。例えば、配分部１３３は、配分テーブル１２３を参照し、電気製品３０の配分タイプが滞在であるか目的であるかを判定する。なお、配分部１３３は、使用状況テーブル１２２に消費電力量が記録されない場合には（ステップＳ１０１，Ｎｏ）、消費電力量が記録されるまでステップＳ１０１の処理を繰り返し実行する。
【００３９】
電気製品３０の配分タイプが滞在である場合には（ステップＳ１０２，Ｙｅｓ）、配分部１３３は、設置テーブル１２４を参照し、電気製品３０の設置部屋を特定する（ステップＳ１０３）。配分部１３３は、滞在状況テーブル１２１を参照し、消費電力量が記録された時間に、電気製品３０の設置部屋に滞在していたユーザを特定する（ステップＳ１０４）。
【００４０】
配分部１３３は、電気製品３０の設置部屋に滞在していたユーザに、記録された消費電力量を配分する（ステップＳ１０５）。配分部１３３は、配分された消費電力量をユーザごとに消費テーブル１２５に記録する（ステップＳ１０６）。
【００４１】
一方、電気製品３０の配分タイプが滞在でない場合、つまり、目的である場合には（ステップＳ１０２，Ｎｏ）、配分部１３３は、滞在状況テーブル１２１を参照し、電気製品３０の使用後に所定の部屋に滞在していたユーザを特定する（ステップＳ１０７）。そして、配分部１３３は、ステップＳ１０５の処理に移行する。
【００４２】
このように、配分部１３３は、使用状況テーブル１２２に消費電力量が記録されるごとに、上記の処理を繰り返し実行することにより、消費電力量をユーザに配分する。
【００４３】
以下において、図８から図１０を用いて、ホームサーバ１００が個人の消費電力量を求める処理について説明する。図８から図１０は、ホームサーバが個人の消費電力量を求める処理について説明するための図である。
【００４４】
図８から図１０は、いずれも図２の滞在状況テーブル１２１と図３の使用状況テーブル１２２に基づいて示されたものである。例えば、図８には、リビング兼ダイニングにおける「使用状況」、「滞在状況」、「滞在人数」、「部屋の消費電力量」、「個人の消費電力量」が示される。このうち、使用状況は、各電気製品が使用されていた時間を示す。図８に示した例では、使用状況は、１７時から２４時までの間について、１５分単位で、各電気製品が使用されていたか否かを示す。また、滞在状況は、各ユーザが滞在していた時間を示す。例えば、滞在状況は、１７時から２４時までの間について、１５分単位で、各ユーザが滞在していたか否かを示す。また、滞在人数は、該当する時間に部屋に滞在していた人数を示す。例えば、１７時から１７時４５分までの間には、母のみがリビング兼ダイニングに滞在していたので、滞在人数は「１」である。また、部屋の消費電力量は、該当する時間に部屋において消費された消費電力量を示す。例えば、１７時から１７時４５分までの間には、エアコンとテレビが使用された結果、部屋の消費電力量が「ＥＬ１」であった場合を示す。また、個人の消費電力量は、該当する時間に個人によって消費された消費電力量を示す。つまり、個人の消費電力量は、該当する時間の部屋の消費電力量を滞在人数で除算した値である。例えば、１７時から１７時４５分までの間の個人の消費電力量は、部屋の消費電力量「ＥＬ１」を滞在人数「１」で除算した値「ＥＬ１」である。図８と同様に、図９には、キッチンにおける「使用状況」、「滞在状況」、「滞在人数」、「部屋の消費電力量」、「個人の消費電力量」が示される。また、図１０には、バスルームにおける「使用状況」、「滞在状況」、「滞在人数」、「部屋の消費電力量」、「個人の消費電力量」が示される。なお、ここでは、リビング兼ダイニング及びバスルームの電気製品３０はいずれも配分タイプが「滞在」である場合を示し、キッチンの電気製品３０はいずれも配分タイプが「目的」である場合を示す。しかし、本発明はこれに限定されるものではなく、一つの部屋に配分タイプが異なる電気製品３０が設置されても良い。
【００４５】
図８の１９時３０分から２１時までの間には、家族全員がリビング兼ダイニングで食事をしている場合を示す。つまり、電気製品３０としてエアコン、照明及びテレビが使用され、ユーザとして父、母、娘及び息子がリビング兼ダイニングに滞在している。このとき、滞在人数は「４」である。ホームサーバ１００は、リビング兼ダイニングの電気製品３０はいずれも配分タイプが「滞在」であるので、部屋の消費電力量が「ＥＬ５」である場合には、リビング兼ダイニングに滞在していたユーザに消費電力量を配分する。つまり、ホームサーバ１００は、「ＥＬ５」を「４」で除算して個人の消費電力量「ＥＬ５／４」を求める。そして、ホームサーバ１００は、父、母、娘及び息子に、１９時３０分から２１時までの間に個人が消費した消費電力量として「ＥＬ５／４」をそれぞれ配分する。
【００４６】
図９の１８時から１９時３０分までの間には、母がキッチンで調理している場合を示す。つまり、電気製品３０として冷蔵庫、電子レンジ、ＩＨヒータ、換気扇、照明が使用され、ユーザとして母がキッチンに滞在している。このとき、滞在人数は「１」である。ここで、キッチンの電気製品３０は、いずれも配分タイプが「目的」であり、電気製品３０が使用された直後にリビング兼ダイニングに滞在していたユーザに対して消費電力量を配分することが設定されているものとする。ホームサーバ１００は、部屋の消費電力量が「ＥＫ１」である場合には、１９時３０分以降にリビング兼ダイニングに滞在していたユーザに消費電力量を配分する。つまり、ホームサーバ１００は、「ＥＫ１」を「４」で除算して個人の消費電力量「ＥＫ１／４」を求める。そして、ホームサーバ１００は、父、母、娘及び息子に、各自の食事を調理するために消費された消費電力量として「ＥＫ１／４」をそれぞれ配分する。
【００４７】
図１０の２１時３０分から２２時までの間には、娘が入浴している場合を示す。つまり、電気製品３０として照明及びドライヤーが使用され、ユーザとして娘がバスルームに滞在している。このとき、滞在人数は「１」である。ホームサーバ１００は、バスルームの電気製品３０はいずれも配分タイプが「滞在」であるので、部屋の消費電力量が「ＥＢ２」である場合には、バスルームに滞在していたユーザに消費電力量を配分する。つまり、ホームサーバ１００は、「ＥＢ２」を「１」で除算して個人の消費電力量「ＥＢ２」を求める。そして、ホームサーバ１００は、２１時３０分から２２時までの間に個人が消費した消費電力量として「ＥＢ２」を娘に配分する。
【００４８】
図示しないが、例えば、１８時３０分から１９時３０分までの間には、息子が子ども部屋で一人でテレビゲームをしている場合がある。つまり、電気製品３０として照明及びテレビゲームが使用され、ユーザとして息子が子ども部屋に滞在している。このとき、滞在人数は「１」である。ここで、子ども部屋の電気製品３０がいずれも配分タイプ「滞在」あり、部屋の消費電力量が「ＥＣ１」である場合には、ホームサーバ１００は、子ども部屋に滞在していたユーザに消費電力量を配分する。つまり、ホームサーバ１００は、「ＥＣ１」を「１」で除算して個人の消費電力量「ＥＣ１」を求める。そして、ホームサーバ１００は、１８時３０分から１９時３０分までの間に個人が消費した消費電力量として「ＥＣ１」を娘に配分する。
【００４９】
以上のように、ホームサーバ１００は、電気製品３０によって消費された消費電力量を配分タイプに応じてユーザに配分することで、個人が消費した消費電力量を求める。例えば、図８から図１０において、母が消費した消費電力量Ｅｍは、下記の式（１）によって表される。
【００５０】
Ｅｍ＝ＥＬ１＋ＥＬ２／２＋ＥＫ１／４＋ＥＬ５／４＋ＥＬ６／３＋ＥＬ８／２＋ＥＬ９＋ＥＢ４＋ＥＬ１０／２・・・（１）
【００５１】
ＥＬ１は、１７時から１７時４５分までの間に、リビング兼ダイニングにおいて母が消費した消費電力量である。ＥＬ２／２は、１７時４５分から１８時までの間に、リビング兼ダイニングにおいて母が消費した消費電力量である。ＥＫ１／４は、母の食事を調理するために消費された消費電力量である。ＥＬ５／４は、１９時３０分から２１時までの間に、リビング兼ダイニングにおいて母が消費した消費電力量である。ＥＬ６／３は、２１時から２１時３０分までの間に、リビング兼ダイニングにおいて母が消費した消費電力量である。ＥＬ８／２は、２１時４５分から２２時までの間に、リビング兼ダイニングにおいて母が消費した消費電力量である。ＥＬ９は、２２時から２３時までの間に、リビング兼ダイニングにおいて母が消費した消費電力量である。ＥＢ４は、２２時３０分から２３時までの間に、バスルームにおいて母が消費した消費電力量である。ＥＬ１０／２は、２３時から２４時までの間に、リビング兼ダイニングにおいて母が消費した消費電力量である。
【００５２】
次に、実施例１に係るホームサーバ１００の効果について説明する。ホームサーバ１００は、複数のユーザについて、各ユーザが部屋に入退室したことを示す入退室情報を取得する。ホームサーバ１００は、部屋に設置された電気製品の消費電力量を測定する。ホームサーバ１００は、取得した入退室情報に基づいて、測定した消費電力量をユーザごとに配分する。このため、ホームサーバ１００は、個人が消費した消費電力量を求めることができる。例えば、ホームサーバ１００は、家庭内で家族のそれぞれが消費した消費電力量を「見える化」することができる。
【００５３】
また、例えば、ホームサーバ１００は、電気製品３０の消費電力量を、測定後の所定の時間において所定の部屋に滞在していたユーザに配分する。このため、ホームサーバ１００は、個人が直接使用していない電気製品３０であっても、個人のために使用された場合には、その消費電力量を配分することができる。例えば、ホームサーバ１００は、母が食事を調理するために使用した電気製品３０の消費電力量を、使用された直後にリビング兼ダイニングに滞在していた家族に対して消費電力量を配分することができる。
【００５４】
また、例えば、ホームサーバ１００は、個人が消費した消費電力量を求めるので、ユーザ一人一人に対して各自が消費した消費電力量を意識づけることができ、節電に寄与することができる。
【実施例２】
【００５５】
さて、これまで本発明の実施例について説明したが、本発明は上述した実施例以外にも、その他の実施例にて実施されても良い。そこで、以下では、その他の実施例について説明する。
【００５６】
例えば、上記の実施例では、ホームサーバ１００が複数の部屋を有する家庭内に適用される場合を説明したが、本発明はこれに限定されるものではない。例えば、ホームサーバ１００は、１つの部屋のみを有するワンルームタイプの住居に対して適用されても良い。また、例えば、ホームサーバ１００は、複数の部屋を複数のユーザで分譲するタイプのマンション、アパート及びシェアハウスなどの住居に対して適用されても良い。この場合、例えば、ホームサーバ１００は、通路、エントランス、エレベータなどの共通設備にセンサ４０を設置することにより、共通設備で消費された消費電力量についても、個人の消費電力量を求めることができる。
【００５７】
また、例えば、上記の実施例では、配分タイプ「目的」に該当する電気製品３０がキッチン用の電気製品３０である場合を説明したが、本発明はこれに限定されるものではない。例えば、ホームサーバ１００は、ＨＤＤレコーダで予約録画を行った場合には、予約録画にかかる消費電力量を、その録画が再生された時間にＨＤＤレコーダの設置部屋に滞在していたユーザに配分しても良い。
【００５８】
また、例えば、上記の実施例では、配分タイプとして「滞在」及び「目的」について説明したが、本発明はこれらに限定されるものではない。例えば、ホームサーバ１００は、電気製品３０を使用したユーザを特定可能な場合には、実際に使用したユーザのみに消費電力量を配分しても良い。例えば、ホームサーバ１００は、ＨＤＤレコーダが予約録画を行う際に予約した者を登録できる構成である場合には、予約録画にかかる消費電力量をその予約者に対して配分しても良い。また、例えば、ホームサーバ１００は、ＨＤＤレコーダにＲＦＩＤセンサを設置しておき、予約録画が行われた際にＨＤＤレコーダの付近にいるユーザをＲＦＩＤセンサで検知する。そして、ホームサーバ１００は、予約録画にかかる消費電力量をＲＦＩＤセンサで検知されたユーザに対して配分しても良い。また、例えば、ホームサーバ１００は、テレビゲームにＲＦＩＤセンサを設置しておき、テレビゲームが使用された際にテレビゲームの付近にいるユーザをＲＦＩＤセンサで検知する。そして、ホームサーバ１００は、テレビゲームの使用により消費された消費電力量を、ＲＦＩＤセンサで検知されたユーザに対して配分しても良い。また、例えば、ホームサーバ１００は、テレビゲームを使用するユーザとして息子を登録しておくことで、テレビゲームの使用により消費された消費電力量を、息子に対して配分しても良い。
【００５９】
また、例えば、上記の実施例において説明した各処理のうち、自動的に行われるものとして説明した処理の全部または一部を手動的に行うこともでき、あるいは、手動的に行われるものとして説明した処理の全部または一部を公知の方法で自動的に行うこともできる。例えば、上記の実施例では、電気製品３０が家庭内に設置される度に、配分テーブル１２３にレコードがユーザにより手動的に登録されるものと説明したが、これに限定されるものではない。例えば、配分テーブル１２３にレコードは、電気製品３０が家庭内ＬＡＮ１０に接続された場合に、自動的に登録されても良い。この他、上述文書中や図面中で示した処理手順、制御手順、具体的名称、各種のデータやパラメータを含む情報については、特記する場合を除いて任意に変更することができる。例えば、消費テーブル１２５は、今月の消費電力量に加えて先月の消費電力量を記憶しても良い。
【００６０】
また、図１に示したホームサーバ１００の各構成要素は機能概念的なものであり、必ずしも物理的に図示の如く構成されていることを要しない。すなわち、ホームサーバ１００の分散・統合の具体的形態は図示のものに限られず、その全部または一部を、各種の負荷や使用状況などに応じて、任意の単位で機能的または物理的に分散・統合して構成することができる。例えば、ホームサーバ１００にネットワークを介して外部記憶装置を接続し、記憶部１２０が記憶する情報を外部記憶装置が記憶するようにしても良い。
【００６１】
また、ホームサーバ１００は、ホームサーバ１００の各機能を既知の情報処理装置に搭載することによって実現することもできる。既知の情報処理装置は、例えば、パーソナルコンピュータ、ワークステーションなどの装置に対応する。
【００６２】
図１１は、配分プログラムを実行するコンピュータの一例を示す図である。図１１に示すように、コンピュータ３００は、各種演算処理を実行するＣＰＵ３０１と、ユーザからデータの入力を受け付ける入力装置３０２と、モニタ３０３とを有する。また、コンピュータ３００は、記憶媒体からプログラム等を読み取る媒体読み取り装置３０４と、他の装置と接続するためのインターフェース装置３０５と、他の装置と無線により接続するための無線通信装置３０６とを有する。また、コンピュータ３００は、各種情報を一時記憶するＲＡＭ（Random  Access  Memory）３０７と、ハードディスク装置３０８とを有する。また、各装置３０１〜３０８は、バス３０９に接続される。
【００６３】
ハードディスク装置３０８には、図１に示した取得部１３１、測定部１３２及び配分部１３３の各処理部と同様の機能を有する配分プログラムが記憶される。また、ハードディスク装置３０８には、配分プログラムを実現するための各種データが記憶される。
【００６４】
ＣＰＵ３０１は、ハードディスク装置３０８に記憶された各プログラムを読み出して、ＲＡＭ３０７に展開し、各種の処理を行う。また、これらのプログラムは、コンピュータを図１に示した取得部１３１、測定部１３２及び配分部１３３として機能させることができる。
【００６５】
なお、上記の配分プログラムは、必ずしもハードディスク装置３０８に記憶されている必要はない。例えば、コンピュータが読み取り可能な記録媒体に記憶されたプログラムを、コンピュータ３００が読み出して実行するようにしても良い。コンピュータが読み取り可能な記録媒体は、例えば、ＣＤ−ＲＯＭやＤＶＤディスク、ＵＳＢメモリ等の可搬型記録媒体、フラッシュメモリ等の半導体メモリ、ハードディスクドライブ等が対応する。また、公衆回線、インターネット、ＬＡＮ（Local  Area  Network）、ＷＡＮ（Wide  Area  Network）等に接続された装置にこのプログラムを記憶させておき、コンピュータ３００がこれらからプログラムを読み出して実行するようにしても良い。
【００６６】
以上の各実施例を含む実施形態に関し、さらに以下の付記を開示する。
【００６７】
（付記１）複数のユーザについて、各ユーザが部屋に入退室したことを示す入退室情報を取得する取得部と、
前記部屋に設置された電気製品の消費電力量を測定する測定部と、
前記取得部により取得された入退室情報に基づいて、前記測定部により測定された消費電力量を前記ユーザごとに配分する配分部と
を備えることを特徴とするホームサーバ。
【００６８】
（付記２）前記配分部は、前記測定部により所定の時間に測定された前記部屋の電気製品の消費電力量を、当該部屋に滞在していたユーザに配分することを特徴とする付記１に記載のホームサーバ。
【００６９】
（付記３）前記配分部は、前記測定部により測定された所定の電気製品の消費電力量を、測定後の所定の時間において所定の部屋に滞在していたユーザに配分することを特徴とする付記１又は２に記載のホームサーバ。
【００７０】
（付記４）ホームサーバが、
複数のユーザについて、各ユーザが部屋に入退室したことを示す入退室情報を取得し、
前記部屋に設置された電気製品の消費電力量を測定し、
前記取得する処理により取得された入退室情報に基づいて、前記測定する処理により測定された消費電力量を前記ユーザごとに配分する
ことを特徴とする配分方法。
【００７１】
（付記５）前記配分する処理は、前記測定する処理により所定の時間に測定された前記部屋の電気製品の消費電力量を、当該部屋に滞在していたユーザに配分することを特徴とする付記４に記載の配分方法。
【００７２】
（付記６）前記配分する処理は、前記測定する処理により測定された所定の電気製品の消費電力量を、測定後の所定の時間において所定の部屋に滞在していたユーザに配分することを特徴とする付記４又は５に記載の配分方法。
【００７３】
（付記７）ホームサーバによって実行される配分プログラムであって、
複数のユーザについて、各ユーザが部屋に入退室したことを示す入退室情報を取得し、
前記部屋に設置された電気製品の消費電力量を測定し、
前記取得する処理により取得された入退室情報に基づいて、前記測定する処理により測定された消費電力量を前記ユーザごとに配分する
各処理を実行させることを特徴とする配分プログラム
【００７４】
（付記８）前記配分する処理は、前記測定する処理により所定の時間に測定された前記部屋の電気製品の消費電力量を、当該部屋に滞在していたユーザに配分することを特徴とする付記７に記載の配分プログラム。
【００７５】
（付記９）前記配分する処理は、前記測定する処理により測定された所定の電気製品の消費電力量を、測定後の所定の時間において所定の部屋に滞在していたユーザに配分することを特徴とする付記７又は８に記載の配分プログラム。
【符号の説明】
【００７６】
１０      家庭内ＬＡＮ
２０      ブレーカ
３０      電気製品
３０ａ      エアコン
３０ｂ      照明
４０、４０ａ、４０ｂ      センサ
５０      操作端末
１００      ホームサーバ
１１０      通信制御部
１２０      記憶部
１２１      滞在状況テーブル
１２２      使用状況テーブル
１２３      配分テーブル
１２４      設置テーブル
１２５      消費テーブル
１３０      制御部
１３１      取得部
１３２      測定部
１３３      配分部
３００      コンピュータ
３０１      ＣＰＵ
３０２      入力装置
３０３      モニタ
３０４      媒体読み取り装置
３０５      インターフェース装置
３０６      無線通信装置
３０７      ＲＡＭ
３０８      ハードディスク装置
３０９      バス
【図１】
2013101046.tif 000003
【図２】
2013101046.tif 000004
【図３】
2013101046.tif 000005
【図４】
2013101046.tif 000006
【図５】
2013101046.tif 000007
【図６】
2013101046.tif 000008
【図７】
2013101046.tif 000009
【図８】
2013101046.tif 000010
【図９】
2013101046.tif 000011
【図１０】
2013101046.tif 000012
【図１１】
2013101046.tif 000013